(57)【要約】【課題】フラッシュライト電源部を停止又は電流制限の制御を行う機能を安価な部品で達成する。【解決手段】電源部１５に接続されているＧＳＭ送信パワーアンプ１１と、これに接続され周波数偏移変調を行う変調回路１２と、フラッシュライトの発光ための電力を蓄積するフラッシュライト電源部１３と、変調回路１２に接続され、変調回路１２から入力される送信パワー制御信号の電圧と所定の閾値電圧とを比較するコンパレータ１４と、を備え、コンパレータ１４は、送信パワー制御信号の電圧が所定の閾値電圧以上になったとき、フラッシュライト電源部１３を停止するための信号又は電源部１５からフラッシュライト電源部１３に供給される電力の電流を制限する信号を出力する。【選択図】図１
2011147066.tif 000002
【特許請求の範囲】
【請求項１】
ＧＳＭ送受信が可能な無線装置であり、フラッシュライトを有する携帯端末装置のフラッシュライト用過電流保護回路であって、
電力を供給する電源部と、
前記電源部に接続されているＧＳＭ送信パワーアンプと、
前記ＧＳＭ送信パワーアンプに接続され周波数偏移変調を行う変調回路と、
前記電源部に接続され、前記電源部から供給される前記フラッシュライトの発光のための電力を蓄積するフラッシュライト電源部と、
前記変調回路に接続され、前記変調回路から入力される送信パワー制御信号の電圧と所定の閾値電圧とを比較するコンパレータと、
を備え、
前記コンパレータは、前記送信パワー制御信号の電圧が前記所定の閾値電圧以上になったとき、前記フラッシュライト電源部を停止するための信号又は前記電源部から前記フラッシュライト電源部に供給される電力の電流を制限する信号を出力することを特徴とするフラッシュライト用過電流保護回路。
【請求項２】
ＧＳＭ送信パワーアンプ及び周波数偏移変調を行う変調回路を有するＧＳＭ送受信が可能な無線装置であり、かつフラッシュライトを有する携帯端末装置のフラッシュライト用過電流保護回路の制御方法であって、
前記ＧＳＭ送信パワーアンプに電力を供給する手順と、
前記変調回路が送信パワー制御信号を出力する手順と、
前記フラッシュライトの発光のための電力を蓄積させる手順と、
を備え、
前記電力を蓄積させる手順は、
前記送信パワー制御信号の電圧と所定の閾値電圧とを比較し、前記送信パワー制御信号の電圧が所定の閾値電圧以上になったとき、電力の蓄積を停止又は蓄積のために供給される電力の電流を制限することを特徴とするフラッシュライト用過電流保護回路の制御方法。
【請求項３】
ＧＳＭ送信パワーアンプ及び周波数偏移変調を行う変調回路を有するＧＳＭ送受信が可能な無線装置であり、かつフラッシュライトを有する携帯端末装置のフラッシュライト用過電流保護回路の制御プログラムであって、
前記ＧＳＭ送信パワーアンプに電力を供給する処理と、
前記変調回路が送信パワー制御信号を出力する処理と、
前記フラッシュライトの発光のための電力を蓄積させる処理と、
をコンピュータに実行させ、
前記電力を蓄積させる処理は、
前記送信パワー制御信号の電圧と所定の閾値電圧とを比較し、前記送信パワー制御信号の電圧が所定の閾値電圧以上になったとき、電力の蓄積を停止又は蓄積のために供給される電力の電流を制限することを特徴とするフラッシュライト用過電流保護回路の制御プログラム。
【発明の詳細な説明】
【技術分野】
【０００１】
本発明は、小型で安価な部品で高い安全性を備える無線装置のフラッシュライト用過電流保護回路、その制御方法及びそのプログラムに関する。
【背景技術】
【０００２】
最近の携帯端末では、ＧＳＭ等間欠動作だが大電流を消費し大きな送信出力が必要な方式が国内携帯端末においても装備されている中、フラッシュライトなど瞬時に大電流を消費するようなデバイスも装備されている。
【０００３】
ＧＳＭ方式による送信（以下、「ＧＳＭ送信」という）と、フラッシュライトなどのデバイスとが同時に動作する場合もあり、その際の突入電流による電源降下が発生するおそれがあった。
【０００４】
この電源降下がＣＰＵ等その他デバイスに影響し、結果として無線装置をリセットしてしまうこともあり、そのような問題を回避する高い安全性が求められてきている。
【０００５】
ここで、図２は、関連技術における回路構成の一例を示す図である。この図２によると、電池２４がフラッシュライト電源部２３とＧＳＭ送信パワーアンプ２１に直接接続されている。このような場合、同時に使用した場合大電流により電圧降下を発生して装置のリセット等が問題となることが多い。
【０００６】
その対策として、図２の場合では、過電流保護としてのハード機能は有しておらずソフト機能において対策を行うことが多く、応答時間や電流値検出に難があった。
【０００７】
図３は、関連技術における回路構成の他の例を示す図である。この図３によると、電池３４より電流検波回路３５を介しＧＳＭ送信パワーアンプ３１及びフラッシュライト電源部３３に接続する構成で過電流保護をしている場合が多い。
【０００８】
図３の場合、過電流が発生しても回路は保護されるが、電流検波回路３５の内部抵抗により電圧降下が必ず発生する。これがＧＳＭ送信パワーアンプ３１の特性に影響し、通信品質が劣化するおそれがあった。
【０００９】
そこで、特許文献１には、パワーアンプの給電制御信号により指定される給電時間だけ、電源回路から出力された給電電圧をコンデンサに供給して充電する発明が開示されている。
【先行技術文献】
【特許文献】
【００１０】
【特許文献１】特開２００３−１６３７５９号公報
【発明の概要】
【発明が解決しようとする課題】
【００１１】
しかしながら、特許文献1に開示されている発明は、ＧＳＭ送信時にフラッシュライトの使用制限を行う方法であるため、応答時間やフラッシュライトの使用不能となる時間が依然として長いという問題があった。
【００１２】
本発明は上記に鑑みてなされたもので、電池とパワーアンプの間に電流検出回路を挿入することなく、所定の電流値を検出してフラッシュライト電源部を停止又は電流制限の制御を行う機能を小型で安価な部品で達成し高い安全性を有するフラッシュライト用過電流保護回路、その制御方法及びそのプログラムを提供することを目的とする。
【課題を解決するための手段】
【００１３】
上述の問題を解決するため、本発明に係るフラッシュライト用過電流保護回路は、ＧＳＭ送受信が可能な無線装置であり、フラッシュライトを有する携帯端末装置のフラッシュライト用過電流保護回路であって、電力を供給する電源部と、前記電源部に接続されているＧＳＭ送信パワーアンプと、前記ＧＳＭ送信パワーアンプに接続され周波数偏移変調を行う変調回路と、前記電源部に接続され、前記電源部から供給される前記フラッシュライトの発光のための電力を蓄積するフラッシュライト電源部と、前記変調回路に接続され、前記変調回路から入力される送信パワー制御信号の電圧と所定の閾値電圧とを比較するコンパレータと、を備え、前記コンパレータは、前記送信パワー制御信号の電圧が前記所定の閾値電圧以上になったとき、前記フラッシュライト電源部を停止するための信号又は前記電源部から前記フラッシュライト電源部に供給される電力の電流を制限する信号を出力することを特徴とする。
【００１４】
上述の問題を解決するため、本発明に係るフラッシュライト用過電流保護回路の制御方法は、ＧＳＭ送信パワーアンプ及び周波数偏移変調を行う変調回路を有するＧＳＭ送受信が可能な無線装置であり、かつフラッシュライトを有する携帯端末装置のフラッシュライト用過電流保護回路の制御方法であって、前記ＧＳＭ送信パワーアンプに電力を供給する手順と、前記変調回路が送信パワー制御信号を出力する手順と、前記フラッシュライトの発光のための電力を蓄積させる手順と、を備え、前記電力を蓄積させる手順は、前記送信パワー制御信号の電圧と所定の閾値電圧とを比較し、前記送信パワー制御信号の電圧が所定の閾値電圧以上になったとき、電力の蓄積を停止又は蓄積のために供給される電力の電流を制限することを特徴とする。
【００１５】
上述の問題を解決するため、本発明に係るフラッシュライト用過電流保護回路の制御プログラムは、ＧＳＭ送信パワーアンプ及び周波数偏移変調を行う変調回路を有するＧＳＭ送受信が可能な無線装置であり、かつフラッシュライトを有する携帯端末装置のフラッシュライト用過電流保護回路の制御プログラムであって、前記ＧＳＭ送信パワーアンプに電力を供給する処理と、前記変調回路が送信パワー制御信号を出力する処理と、前記フラッシュライトの発光のための電力を蓄積させる処理と、をコンピュータに実行させ、前記電力を蓄積させる処理は、前記送信パワー制御信号の電圧と所定の閾値電圧とを比較し、前記送信パワー制御信号の電圧が所定の閾値電圧以上になったとき、電力の蓄積を停止又は蓄積のために供給される電力の電流を制限することを特徴とする。
【発明の効果】
【００１６】
本発明によれば、ＧＳＭの既知の送信システム制御および制御信号を利用することにより、電池とパワーアンプの間に電流検出回路を挿入することなく、所定の電流値を検出してフラッシュライト電源部を停止又は電流制限の制御を行う機能を小型で安価な部品で達成し高い安全性を有するフラッシュライト用過電流保護回路、その制御方法及びそのプログラムを提供することができる。
【図面の簡単な説明】
【００１７】
【図１】本発明の第１の実施の形態に係る携帯端末装置としてのフラッシュライト用過電流保護回路の構成の要部を表した図である。
【図２】関連技術における回路構成の一例を示す図である。
【図３】関連技術における回路構成のその他の例を示す図である。
【図４】ＧＳＭ送信システムにおけるタイミングチャートの一例を示す図である。
【図５】ＧＳＭ送信システムに係るＶｒａｍｐ制御電圧と消費電流を示す図である。
【発明を実施するための形態】
【００１８】
［第1の実施の形態］
以下、図面を参照しながら、本発明の第１の実施の形態について詳細に説明する。ここで、図１は、本発明の第１の実施の形態に係る携帯端末装置としてのフラッシュライト用過電流保護回路構成の要部を表した図である。
【００１９】
本発明の第１の実施の形態に係るＧＳＭ送受信が可能な無線装置であり、フラッシュライトを有する携帯端末装置としてのフラッシュライト用過電流保護回路構成の要部は、ＧＳＭ送信パワーアンプ１１、周波数偏移変調を行う変調回路１２、電力を供給する電源部１５、電源部１５から供給されるフラッシュライトの発光ための電力を蓄積するキャパシタ等のフラッシュライト電源部１３及び変調回路１２から入力される送信パワー制御信号の電圧と所定の閾値電圧とを比較してフラッシュライト電源部１３の停止又は電源部１５が供給する電力の電流制限の制御をする信号を出力するコンパレータ１４で構成されている。
【００２０】
電源部１５にはＧＳＭ送信パワーアンプ１１とフラッシュライト電源部１３とが接続され、変調回路１２が出力した高周波送信信号と送信パワー制御信号ＶｒａｍｐとがＧＳＭ送信パワーアンプ１１に入力されている。
【００２１】
変調回路１２が出力した送信パワー制御信号Ｖｒａｍｐはコンパレータ１４にも入力されており、更にコンパレータ１４には閾値電圧も入力されている。
【００２２】
コンパレータ１４からはコンパレータ出力信号がフラッシュライト電源部１３の制御信号として出力され、フラッシュライト電源部１３の停止又は電源部１５が供給する電力の電流制限の制御を行う。
【００２３】
[第１の実施の形態の動作]
本発明の第１の実施の形態に係る携帯端末装置の動作はＧＳＭの既知の送信システムを利用している。ＧＳＭ送信出力においては高周波送信信号と送信パワー制御信号Ｖｒａｍｐが不可欠となっている。
【００２４】
ここで、図４は、ＧＳＭ送信システムにおけるタイミングチャートの一例を示す図である。図４に示すとおり送信パワー制御信号Ｖｒａｍｐの電圧（以下、「送信パワー制御信号の電圧」という）により高周波送信電力を制御しており、高周波送信電力により消費電流が一義的に決まられる。すなわち、図４に示すとおり送信パワー制御信号Ｖｒａｍｐの電圧に対して消費電流が決められている。これにより所望の消費電流閾値に対するＶｒａｍｐ閾値電圧が求められる。
【００２５】
コンパレータ１４に所定の閾値電圧を印加することにより、所望の送信電力以上つまり所望の消費電流以上の送信が実施される場合、コンパレータ１４よりフラッシュライト電源部１３の制御端子に入力され、フラッシュライト電源部１３を停止又は電流制限の制御を実施することが可能となる。
【００２６】
なお、本実施の形態の手順としては、ＧＳＭ送信パワーアンプ１１に電力を供給する手順と、変調回路１２が送信パワー制御信号を出力する手順と、フラッシュライトの発光のための電力を蓄積させる手順と、を備え、電力を蓄積させる手順は、送信パワー制御信号の電圧と所定の閾値電圧とを比較し、送信パワー制御信号の電圧が所定の閾値電圧以上になったとき、電力の蓄積を停止又は蓄積のために供給される電力の電流を制限するということになる。
【００２７】
以上説明したように本発明の第１の実施の形態によれば、送信パワー制御信号の電圧を閾値と比較することにより、ＧＳＭ送信とフラッシュライトの同時動作を行う場合、通信品質保護のためフラッシュライトの停止又は電流制限によるフラッシュライト電源部１３の制御が可能となる。
【００２８】
また、関連技術のようにパワーアンプと電池の間に検波回路を配置せずに電流検波が可能となるので、検波回路によるパワーアンプの電圧低下による特性劣化を防ぐことができる。
【００２９】
従来の技術を採用したまま安全性の高い回路構成を見込むことが可能であり、簡素化、小型化、低廉化が可能となる。
【００３０】
更に、従来のソフト制御等ＧＳＭ送信時にフラッシュライトの使用制限を行う方法では電流値による制御は不可能なため、毎度使用制限を実施することなり制限されるデバイスの商品性を落とすこととなる。一方で本発明の第１の実施の形態によれば、閾値によりフラッシュライトなどのデバイスが使用する電力を制御することにより、デバイスの機能低下は最小限に抑えられるので、商品性を保つことが可能となっている。
【００３１】
[第２の実施の形態]
本発明では、短時間で大電流を消費するデバイスとしてフラッシュライトを例に挙げているが、その他、消費電力が大きいデバイスにも、第１の実施の形態と同様の回路構成により、同様の作用・効果を奏する。
【００３２】
本発明は、物である無線装置の発明のみならず、その制御方法の発明及びその制御プログラムの発明としても実施できる。
【００３３】
本発明は、ハードウェアによっても実現することもできるが、コンピュータをその携帯電子機器として機能させるためのプログラムをコンピュータがコンピュータで読み取り可能な記録媒体から読み込んで実行することによっても実現することが出来る。
【００３４】
また、本発明における無線装置の制御の方法は、ハードウェアによっても実現することもできるが、コンピュータにその方法を実行させるためのプログラムをコンピュータがコンピュータで読み取り可能な記録媒体から読み込んで実行することによっても実現することが出来る。
【産業上の利用可能性】
【００３５】
本発明は、携帯電話機、ＰＨＳ（Personal Handyphone System）、ＰＤＡ（Personal Data Assistance，Personal Digital Assistants：個人向け携帯型情報通信機器）等のＧＳＭ送受信が可能な無線装置に用いることができる。
【符号の説明】
【００３６】
１１  ＧＳＭ送信パワーアンプ
１２  変調回路
１３  フラッシュライト電源部
１４  コンパレータ
１５  電源部       
２１  ＧＳＭ送信パワーアンプ
２２  変調回路
２３  フラッシュライト電源部
２４  電池
３１  ＧＳＭ送信パワーアンプ
３２  変調回路
３３  フラッシュライト電源部
３４  電池
３５  電流検波回路
【図１】
2011147066.tif 000003
【図２】
2011147066.tif 000004
【図３】
2011147066.tif 000005
【図４】
2011147066.tif 000006
【図５】
2011147066.tif 000007